(57)【要約】【課題】レンズ本体に光学アクセサリを安全かつ容易に取り付ける。【解決手段】光学アクセサリ１０に、可搬性を向上させるために把手１３を設ける。レンズ本体５０には、光学アクセサリ１０の取付時にガイドの役目をする段付のガイドピン５４が設けられている。光学アクセサリ１０の取付時には、把手１３を持ち、ガイドピン５４と光学アクセサリ１０に設けた案内孔１４を利用し、光学アクセサリ１０の鏡筒１２とレンズ本体５０のレンズ鏡筒との間に設けられた係合部で嵌り合うように、光軸方向から挿入する。突き当たった位置で光学アクセサリ１０を回転させると、ガイドピン５４が取付角度の規制になると同時に、ガイドピン５４に段差があるために光学アクセサリ１０の脱落が防止される。その後、光学アクセサリ１０に設けられた固定用つまみ１５を締めることで固定される。【選択図】図６
2008304665.tif 000002
【特許請求の範囲】
【請求項１】
レンズ本体と、前記レンズ本体の前方に着脱自在に取り付ける光学アクセサリとを備え、該光学アクセサリは、有効光線の外側に配置し前記レンズ本体への固定を行うための固定手段と、着脱時に操作者が把持するための複数の把持手段とを有することを特徴とする放送局用テレビレンズ。
【請求項２】
前記固定手段は光軸と平行な軸方向に締結を行うねじを有し、前記光学アクセサリを前記レンズ本体に係合させた状態で、前記レンズ本体に設けた被固定部に前記ねじによるねじ結合によって前記光学アクセサリを固定すること特徴とする請求項１に記載の放送局用テレビレンズ。
【請求項３】
前記光学アクセサリに着脱時の案内となるガイド部材を設けたことを特徴とする請求項１又は２に記載の放送局用テレビレンズ。
【請求項４】
前記光学アクセサリに脱落防止手段を設けたことを特徴とする請求項１又は２に記載の放送局用テレビレンズ。
【請求項５】
前記ガイド部材は脱落防止手段の一部を兼ねることを特徴とする請求項３に記載の放送局用テレビレンズ。
【請求項６】
前記脱落防止手段は、前記ガイド部材と、前記光学アクセサリの装着時に前記ガイド部材が通過する案内孔とから構成し、前記光学アクセサリを前記レンズ本体に取り付ける際に、前記ガイド部材が前記案内孔に入るように前記レンズ本体の前方から挿入後に、前記光学アクセサリを光軸周りに回転し前記ガイド部材が前記光学アクセサリの光軸方向の移動を規制することにより脱落防止を行うことを特徴とする請求項５に記載の放送局用テレビレンズ。
【請求項７】
前記把持手段は可動であり、前記光学アクセサリの着脱操作時には前記レンズ本体の前面側に突出し、前記光学アクセサリを前記レンズ本体に装着した際には、前記有効光線よりも外側に退避することを特徴とする請求項１〜６の何れか１つの請求項に記載の放送局用テレビレンズ。
【請求項８】
前記固定手段は前記把持手段の可動によって固定動作を行い、前記把持手段を有効光線から退避させる方向に移動することを特徴とする請求項７に記載の放送局用テレビレンズ。
【請求項９】
前記光学アクセサリと前記レンズ本体との間の空間部に、外気に連通させる空気流通手段を設けたことを特徴とする請求項１〜８の何れか１つの請求項に記載の放送局用テレビレンズ。
【請求項１０】
レンズ本体と、該レンズ本体の前方のレンズフードの一部を分離し、通常撮影時用のレンズフード又は光学アクセサリと前記レンズフードとを一体とした光学アクセサリ付レンズフードの何れかを着脱自在に取り付け可能としたことを特徴とする放送局用テレビレンズ。
【発明の詳細な説明】
【技術分野】
【０００１】
本発明は、レンズ本体の前側に取り付けられる光学アクセサリを有する放送局用テレビレンズに関するものである。
【背景技術】
【０００２】
従来から撮像装置に用いられるレンズにおいて、光学アクセサリをレンズの前側に取り付ける手段としては、光学アクセサリの鏡筒と、レンズ本体の鏡筒の先端にねじ口を設け結合する方法、バヨネットマウントを用いる方法が知られている。
【０００３】
バヨネットマウントを用いる方法の例として、例えば特許文献１では、バヨネットリングの複数の爪と、アクセサリの複数の爪との配置位置或いは大きさが不均等に形成されている。そして、特定の回転位置においてのみ、アクセサリの爪がバヨネットリングの爪に挿入されるようにされている。
【０００４】
また、上述の方法以外として、例えば特許文献２には、光学アクセサリ鏡筒の内径部を縮径する方向に弾性変形させ、レンズ本体の鏡筒の外径部を挟持してレンズ鏡筒に装着する方法が開示されている。また特許文献３には、光学アクセサリを配置する取付枠と、この取付枠を介して光学アクセサリを支持する支持部材とを備えることが開示されている。
【０００５】
一方、放送局用テレビレンズは、撮影光学系を保持するレンズ鏡筒と、放送用テレビカメラに取り付けるための部材として略矩形状の固定筐体とを有し、レンズ鏡筒の外側には固定筐体の形状に合わせた略矩形状のレンズカバーを設けることが知られている。レンズカバーの前端部には、有害光線の遮光と前方部におけるレンズ鏡筒の保護をするためのレンズフードが固着されており、レンズ鏡筒はこれらのレンズカバー及びレンズフードによって内包されている。
【０００６】
【特許文献１】特開２００５−１４０８４６号公報
【特許文献２】特開２００４−２７１８９２号公報
【特許文献３】特許第３４５３５３６号公報
【発明の開示】
【発明が解決しようとする課題】
【０００７】
放送局用テレビレンズのレンズ本体の鏡筒は、通常のカメラ等と比較すると大口径であるため、光学特性を変更するために使用される光学アクセサリも、大口径、大重量のものになる。このため、レンズ本体に対して光学アクセサリを着脱する際には、操作者が両手で確実な保持をした状態で、着脱作業が容易に行えるように配慮することが望ましい。
【０００８】
しかし、前述したように放送局用テレビレンズのレンズ鏡筒の先端部は、略矩形状のレンズフードの内側に納まっている。このため、レンズ鏡筒の先端に光学アクセサリを取り付けるにはレンズフードが妨げとなり、光学アクセサリを側面や下側から把持して作業を行うことはできず、前面側から保持をしながら取り付けることになる。即ち、鏡筒の先端側を持った状態で、光学アクセサリをレンズフード内に挿入してゆくことになり、確実に保持した状態で作業を行うことができない。
【０００９】
また、取付機構に関して、例えば従来のねじ結合によって固定する方法では、取り付けまでにアクセサリ全体を数回、回転させる必要がある。しかし、両手で持たなければならないほどの大きさになる放送局用テレビレンズに用いられる光学アクセサリでは、このように光学アクセサリ全体を回転させる作業は困難なものとなる。
【００１０】
また、バヨネットマウントを用いる方式では、光学アクセサリの取付部、つまりレンズ本体の先端部にバヨネットリングや爪を設ける必要があり、レンズ鏡筒の先端で径方向に大きくなる。このため、レンズフード内にレンズ鏡筒を有する放送局用テレビレンズに適用するには、これらの部品をレンズフード内に納めることが難しい。
【００１１】
更に、特許文献２に示すようなレンズ鏡筒に嵌合させた光学アクセサリ鏡筒を弾性変形させる方法では、レンズ本体に対する光学アクセサリの固定をレンズ本体と光学アクセサリの接合部付近で行う必要がある。しかし、放送局用テレビレンズでは、この部分がレンズフードの内部にあるので、レンズフードが取付作業の障害となってしまう。また、特許文献３に示されるような指示部材を用いる方法も、レンズフードの存在が取り付けの障害となるため、放送局用テレビレンズに適用することができない。
【００１２】
本発明の目的は、上記課題を解決するために、光学アクセサリをレンズ本体の前側に安全かつ容易に取り付けることができる放送局用テレビレンズを提供することにある。
【課題を解決するための手段】
【００１３】
上記目的を達成するための本発明に係る放送局用テレビレンズの技術的特徴は、レンズ本体と、前記レンズ本体の前方に着脱自在に取り付ける光学アクセサリとを備え、該光学アクセサリは、有効光線の外側に配置し前記レンズ本体への固定を行うための固定手段と、着脱時に操作者が把持するための複数の把持手段とを有することにある。
【００１４】
また、本発明に係る放送局用テレビレンズの技術的特徴は、レンズ本体と、該レンズ本体の前方のレンズフードの一部を分離し、通常撮影時用のレンズフード又は光学アクセサリと前記レンズフードとを一体とした光学アクセサリ付レンズフードの何れかを着脱自在に取り付け可能としたことにある。
【発明の効果】
【００１５】
本発明に係る放送局用テレビレンズによれば、略矩形状のレンズフードを有する放送局用テレビレンズに大口径の光学アクセサリを容易に取り付けることにより、異なる光学特性を容易に得ることができ、撮影用途が増し経済性に優れる。
【００１６】
また、光学アクセサリの取り付けに関して、落下防止手段を設ければ、不注意による落下を防ぐことができ、光学アクセサリが破損することを防止できる。
【発明を実施するための最良の形態】
【００１７】
本発明を図示の実施例に基づいて詳細に説明する。
【実施例１】
【００１８】
図１は実施例１の光学アクセサリの斜視図、図２は正面図、図３は固定つまみ周辺の断面図、図４はレンズ本体の斜視図、図５は正面図、図６は光学アクセサリをレンズ本体に装着した状態の斜視図である。
【００１９】
光学アクセサリ１０はレンズ本体５０の光学性能を変更するためのレンズ、フィルタ等から成る光学素子１１と、この光学素子１１を保持する鏡筒１２とを有している。鏡筒１２の先端部は、レンズ本体５０への装着時に、撮像面に到達する有効光線を遮断しないように、対角となる部分に光線逃げの加工をすることもある。この場合には、加工した位置によって光学アクセサリ１０のレンズ本体５０に対する光軸周りの取付角度が決定される。
【００２０】
更に、光学アクセサリ１０の鏡筒１２には、レンズ本体５０への着脱時に、操作者が把持する把持手段として機能する２個の把手１３が設けられている。これらの把手１３は光学アクセサリ１０の光軸を中心として略対称の位置にあって、レンズ本体５０の略矩形状のレンズフード５１の隅角部付近に配置され、有効光線を遮断しない範囲で前側に突出した形状とされている。これによって、光学アクセサリ１０の重心位置に対してバランス良く、両手で光学アクセサリ１０を把持した状態で、レンズ本体５０の前側からレンズフード５１の内側に配置され、レンズ素子５２を保持するレンズ鏡筒５３への取り付けを可能としている。
【００２１】
光学アクセサリ１０の鏡筒１２には、レンズ本体５０の２本のガイドピン５４に対応する２個の案内孔１４が、ガイドピン５４と同様に光軸に対して略対称となるように設けられている。また案内孔１４は、ガイドピン５４が挿入される丸孔部１４ａに、丸孔部１４ａよりも幅狭で光軸を中心とする円弧状の溝１４ｂが繋がった形状とされている。
【００２２】
レンズ本体５０のガイドピン５４は段差を有する円柱形状をしており、後述するように先端側の大径部５４ａと、根元側の細径部５４ｂとから成っている。また、大径部５４ａの先端部は光学アクセサリ１０の案内孔１４に通し易くするためにテーパ形状とされ、細径部５４ｂは溝１４ｂに係合する大きさとされている。
【００２３】
更に光学アクセサリ１０の案内孔１４の近傍には、光学アクセサリ１０をレンズ本体５０に固定するための光軸と平行方向を向く固定つまみ１５が設けられ、レンズ本体５０にはこの固定つまみ１５に対応する位置に固定用ねじ孔５５が設けられている。固定つまみ１５の先端には、光学アクセサリ１０の鏡筒１２から抜け落ちないように、抜け止め部材１５ａが設けられている。また、固定つまみ１５の軸部の周囲には圧縮ばね１６が設けられ、光学アクセサリ１０がレンズ本体５０に固定されていないときには、光学素子１１の前方に固定つまみ１５を弾性的に押し出すようにされ、抜け止め部材１５ａは鏡筒１２内に収容されている。また、鏡筒１２の下側には、鏡筒１２の裏側に連通する空気流通孔１７が設けられている。
【００２４】
図７〜図１０は光学アクセサリ１０の取付手順を示している。図７〜図９の（ａ）は光学アクセサリ１０の前側からガイドピン５４の周辺を見た拡大正面図であり、（ｂ）はレンズ本体５０の光軸とガイドピン５４の中心軸とを通る平面で切断した拡大断面図である。光学アクセサリ１０の鏡筒１２とレンズ本体５０のレンズ鏡筒５３には相互に係合する係合部１２ａ、５３ａが設けられ、これにより、光学アクセサリ１０の光軸とレンズ本体５０の光軸とが一致するようにされている。
【００２５】
先ず図７に示すように、取付前の状態においてレンズ前側から光学アクセサリ１０をレンズ本体５０に挿入する。この挿入は、光学アクセサリ１０の案内孔１４の丸孔部１４ａと、ガイドピン５４との光軸周りの角度位置が同じ位置になる位置で行う。挿入に際しては、レンズ鏡筒５３の係合部５３ａの位置よりも前方にガイドピン５４が突出しているため、ガイドピン５４の大径部５４ａと、案内孔１４の丸孔部１４ａとが先に係合する。この構成によって、ガイドピン５４が光学アクセサリ１０を取付位置に案内するガイド部材の役割を果たすことになる。
【００２６】
また、このガイドピン５４の大径部５４ａが、案内孔１４の丸孔部１４ａを通過し切る前に、鏡筒１２の係合部１２ａとレンズ鏡筒５３の係合部１２ａ、５３ａが係合を始める。このため、ガイドピン５４と案内孔１４が係合している状態で、鏡筒１２とレンズ鏡筒５３との係合が行われることになり、鏡筒１２の係合部１２ａがレンズ鏡筒５３に対して傾かずに、係合部５３ａに挿入される。
【００２７】
また、この光学アクセサリ１０をレンズ本体５０に挿入するに際して、鏡筒１２とレンズ鏡筒５３とが係合されることで、光学アクセサリ１０の光学素子１１と、レンズ本体５０の最前面のレンズ素子５２との間の空気が圧縮される。この圧縮された空気の逃げ道を設けないと、挿入時に空気圧によって光学アクセサリ１０が押し戻されてしまう。そこで、光学アクセサリ１０とレンズ本体５０との間の空間部の空気を、空気流通孔１７により外気に逃がすようにしている。この空気流通孔１７を光学アクセサリ１０の下側に設けているのは、空気流通孔１７から埃などの異物の侵入を防止するためである。
【００２８】
図８は光学アクセサリ１０の鏡筒１２が、レンズ本体５０のレンズ鏡筒５３に突き当たるまで挿入された状態である。ここまで挿入されると、ガイドピン５４の大径部５４ａは案内孔１４の丸孔部１４ａを完全に通り抜けた状態になる。
【００２９】
この挿入後に、図９に示すように、光学アクセサリ１０を光軸周りにガイドピン５４の細径部５４ｂが溝１４ｂの端部に接触するまで回転させる。これにより、溝１４ｂと細径部５４ｂとが嵌まり合い、溝１４ｂがガイドピン５４の大径部５４ａからは抜けないため、光学アクセサリ１０の光軸方向への移動が規制され、光学アクセサリ１０の脱落が防止される。
【００３０】
このように、ガイドピン５４の細径部５４ｂが案内孔１４の溝１４ｂの端部で規制される位置まで回転した状態で、図１０に示すように光学アクセサリ１０の固定つまみ１５を、レンズ本体５０に設けられた被固定部である固定用ねじ孔５５に締結して固定を行う。
【００３１】
固定つまみ１５はレンズフード５１が操作の邪魔にならないように、光学素子１１の前方から手動で操作することが可能なように配置されている。このため、光学アクセサリ１０の固定操作は、レンズフード５１を有するレンズ本体５０においても容易に行うことができるようになる。この固定により取付操作は完了となる。そして、固定つまみ１５は固定用ねじ孔５５に作用していない状態では、光学アクセサリ１０の鏡筒１２内に収容されているので、着脱時に光学アクセサリ１０を回転させても、この固定つまみ１５が固定用ねじ孔５５に引っかかることはない。
【００３２】
本実施例において、ガイドピン５４をレンズ本体５０に、それに嵌まり合う案内孔１４を光学アクセサリ１０に設けているが、これらはそれぞれを逆に配置してもよい。即ち、図１１に示すように、光学アクセサリ１０のレンズ本体５０との接合面側にガイドピン５４と同様のガイドピン１８を設け、図１２に示すようにレンズ本体５０に、このガイドピン１８に対応するための案内孔１４と同様の案内孔５６を設けてもよい。
【００３３】
更に、本実施例において、ガイドピン５４、１８及びそれに対応する案内孔１４、５６は光軸対称となるように２本設けたが、鏡筒１２とレンズ鏡筒５３との係合部の長さが十分に得られれば、１本のガイドピン５４、１８でも脱落防止手段を兼ねることができる。
【００３４】
ただし、この場合にはガイドピン５４、１８を先の実施例と同じような円柱形状にしておくと、レンズ挿入時の案内としては、ガイドピン５４、１８を中心とした回転の自由度が残る。
【００３５】
そこで、１本のガイドピン５４、１８を用いて、光学アクセサリ１０の装着時の位置合わせを行うためには、例えば図１３に示すように、ガイドピン５４の大径部５４ａに、案内孔１４の溝１４ｂを通過するような突起部品５７を設ければよい。かくすることにより、鏡筒１２とレンズ鏡筒５３とが係合する前に、突起部品５７が溝１４ｂに入り込むことで、挿入時の光学アクセサリ１０がガイドピン５４の周りに回転することを防止できる。
【００３６】
なお、光学アクセサリ１０を使用しない場合には、レンズ本体５０には図１４、図１５に示すように、撮影上は不要となる撮像面から上下方向に外れた光線を遮断するためのマスク部品５８を取り付けることが可能である。このマスク部品５８は光学アクセサリ１０に対する固定用ねじ孔５５との間に、スペーサ５９を介して、ビス６０を用いて取り付けられる。
【実施例２】
【００３７】
図１６は実施例２における光学アクセサリの斜視図、図１７は光学アクセサリをレンズ本体に装着した状態の斜視図である。なお、実施例１と同一の符号は同一の部材を示している。
【００３８】
実施例２の光学アクセサリ２０には、レンズ本体５０への着脱作業時に用いられる把手２１が設けられている。図１８、図１９は光学アクセサリ２０の装着手順に従った把手２１の状態を示し、それぞれ（ａ）はこの把手２１付近の拡大正面図、（ｂ）は拡大側面図を示している。
【００３９】
把手２１は光軸方向に向く取付軸２２を中心に、図１８に示すレンズ前方に突出させた位置から、図１９に示すように光学アクセサリ２０を装着した時の有効光線の外側になるように退避させた位置に回動可能とされている。また、把手２１は突出した位置或いは退避した位置で安定するように、把手２１の平面２１ａに板ばね２３のばね力が付勢されるようになっている。これによって、把手２１が自重やパン・チルト操作などによる慣性力の影響で、有効光線内に飛び出すことが防止される。
【００４０】
実施例１に示したように、把手１３が光学アクセサリに完全に固定されている場合には、把手１３の位置は撮影中に有効光線の外側になるような形状、配置にしなければならない。しかし、本実施例２のように把手２１を可動式にすることにより、把手２１をレンズ前方から大きく突出させることができるので、着脱操作時には把持し易くなり、撮影中には有効光線外側に移動することができる。
【００４１】
なお本実施例２においては、把手２１を回動させることで、有効光線からの退避及び着脱操作時の突出をさせたが、把手２１の可動方法はこれに限定されるものではない。例えば、把手２１を引出式にし、光学素子１１の前方に突出していた把手２１を鏡筒１２の内側に退避できるようにしたり、把手２１自体を折り畳み式にしたりするなど、他の形態で行うことも可能である。
【００４２】
また、把手２１が自身の重さや、パン・チルト操作などの影響で飛び出さないようにするため、本実施例２においては板ばね２３を利用する方法を提示しているが、これ以外の方法により飛び出しを防止するようにしてもよい。
【００４３】
上記の方法以外では、例えば図２０に示すように、把手２１が退避した位置で固定を行うための固定用マグネット２４を光学アクセサリ２０に設け、把手２１にはこれに対応する吸着板２５を配置し、磁力によって飛び出しを防止する方法も考えられる。
【００４４】
なお、撮影中に把手２１が有効光線内に入らないようにする手法としては、把手２１を光学アクセサリ２０から着脱自在にする方法も考えられる。即ち、着脱操作時にのみ光学アクセサリ２０に把手２１を取り付け、撮影中には取り外すようにすればよい。
【実施例３】
【００４５】
図２１は実施例３における光学アクセサリの斜視図、図２２は把手３１をレンズ前側に突出させた状態の側面図、図２３は光学アクセサリをレンズ本体に取り付けた状態の斜視図、図２４は光学アクセサリをレンズ本体に取り付けた状態の側面図である。
【００４６】
光学アクセサリ３０には、着脱操作時に操作者が把持するための把手３１が設けられているが、この把手３１は実施例２と同様に、光軸方向に向く取付軸２２の周りに回動するようにされている。回動可能な把手３１の端部には、光学アクセサリ３０をレンズ本体５０に固定するために用いられる固定用フック部３１ａが設けられている。即ち、光学アクセサリ３０の着脱操作時にはレンズ前側に把手３１を突出し、装着時には把手３１を有効光線外に退避できるようになっている。
【００４７】
レンズ本体５０には、光学アクセサリ３０がレンズ鏡筒５３の先端形状等で定まる特定の角度で取り付けられた際に、フック部３１ａに対応する位置に、固定用ピン６１が設けられている。この固定用ピン６１は調整台６２を介してレンズ鏡筒５３に固定されている。調整台６２はフック部３１ａと固定用ピン６１の位置関係によって、光学アクセサリ３０の固定ができなくならないように、固定用ピン６１の光軸方向の位置を調整するために設けられている。
【００４８】
光学アクセサリ３０のレンズ本体５０への固定の手順としては、途中までは先の実施例１で説明した方法と同様である。即ち、先ずガイドピン５４と案内孔１４との光軸周り位置が同じ位置で、レンズ前方から光学アクセサリ３０を挿入し、光学アクセサリ３０をレンズ鏡筒５３に係合させる。
【００４９】
次に、脱落防止機構を有効にするために、光学アクセサリ３０を光軸周りに回転させる。その後に、把手３１を有効光線外に退避させるために回動すると、固定用フック部３１ａがレンズ本体５０側の固定用ピン６１に係合し、光学アクセサリ３０がレンズ本体５０に固定される。
【００５０】
なお、固定用フック部３１ａと固定用ピン６１の位置関係によって、固定不能とならないようにするには、固定用ピン６１の光軸方向位置を調整する方法以外の方法でもよい。例えば、固定用ピン６１を使用することなく、固定用フック部３１ａを有する把手３１の方の光軸方向位置を調整する方法や、固定用フック部３１ａと固定用ピン６１の係合部にばねなどの弾性体を介在して、その弾性力を利用する方法などがある。
【００５１】
また実施例３では、光学アクセサリ３０とレンズ本体５０の固定を固定用フック部３１ａと固定用ピン６１を用いて固定する例を提示した。しかし、光学アクセサリ３０のレンズ本体５０への固定方法は、これに限定されるものではなく、把手３１の退避と連動して、光学アクセサリ３０の固定動作が行われるようにすればよい。
【実施例４】
【００５２】
図２５は実施例４において、レンズ本体に、標準レンズフード又は光学アクセサリ付レンズフードを取り付ける場合の斜視図である。なお、先の実施例と同一の符号は同一の部材を示している。
【００５３】
前述したように、放送局用テレビレンズでは略矩形状のレンズフード５１が用いられている。レンズ本体７０側にレンズフード５１が固定され、レンズ本体７０のレンズ鏡筒５３を保護するレンズカバー７１に対し、レンズフードとしての役割を果たす標準レンズフード７２が、接合部７３を介してレンズフード５１の一部から分離できるようになっている。また、光学アクセサリ４０とレンズフードが一体となった光学アクセサリ付レンズフード４１を別途に設け、取り外した標準レンズフード７２の代りに、レンズ本体７０に取り付けることが可能とされている。
【００５４】
図２６はレンズ鏡筒５３側に設けられた固定用ねじ孔７４を通るレンズ本体７０の断面図である。なお、レンズ本体７０側のレンズカバー７１には弾性部材７５が設けられており、標準レンズフード７２、光学アクセサリ付レンズフード４１が接続される場合に、この弾性部材７５が圧縮されるようになっている。弾性部材７５の弾性力により合わせ目を閉塞し、標準レンズフード７２、光学アクセサリ付レンズフード４１内に異物が侵入することを防止する。
【００５５】
図２７は通常撮影時用に使用する標準レンズフード７２をレンズ本体７０に取り付けた状態の断面図であり、標準レンズフード７２の接合部７３は、固定つまみ７６が固定用ねじ孔７４に螺合することにより、レンズ本体７０に固定されている。そして、固定つまみ７６を緩めることによって、標準レンズフード７２を取り外すことができる。
【００５６】
光学アクセサリ付レンズフード４１のレンズ本体７０への取付方法については、実施例１と同様にすればよい。即ち、図２５に示すように、レンズ本体７０にはガイドピン５４が設けられ、光学アクセサリ付レンズフード４１の接合部４２には、実施例１の案内孔１４と同様に案内孔４３が設けられている。
【００５７】
ガイドピン５４と案内孔４３の光軸周りの位置が一致する個所で、光学アクセサリ付レンズフード４１の接合部４２をレンズ前側から挿入し、光学アクセサリ付レンズフード４１側の鏡筒４４とレンズ本体７０側の鏡筒５３とを係合させる。その後に、接合部４２を光軸中心で回転させ、ガイドピン５４と案内孔４３によって脱落が防止された状態で、図２８に示すように実施例１の固定つまみ１５と同様の固定つまみ４５を、レンズ本体７０の固定用ねじ孔７４にねじ込んで固定を行う。
【００５８】
このように、光学アクセサリ４０をレンズフードと一体する方法の効果としては、光学アクセサリ４０の装着時、非装着時、それぞれの光学特性に最適な光学アクセサリ付レンズフード４１を得ることができることにある。即ち、非装着時には標準レンズフード７２のマスク７８によって撮像面の上下方向の不要な光線を遮断するが、より画角を広くするような光学アクセサリ４０であれば、レンズフードの形状による有効光線の蹴られが発生しないような形状にすることが可能である。
【００５９】
また標準レンズフード７２の取り付けは、光学アクセサリ付レンズフード４１を装着する際と同様に、前方から固定つまみ７６を利用してレンズ鏡筒５３に固定するが、標準レンズフード７２はレンズカバー７１に取り付けてもよい。
【００６０】
図２９は変形例の標準レンズフード７２’をレンズ本体７０に取り付けた状態の断面図を示している。この標準レンズフード７２’はレンズカバー７１の先端部に取り付けられた弾性部材７５の内側に係合するようになっている。標準レンズフード７２をレンズカバー７１に嵌め込み、固定用ピン７９を上下方向からレンズカバー７１に設けられたねじ孔８０に螺合する。これにより、固定用ピン７９の先端が標準レンズフード７２に設けられピン孔８１を通り、標準レンズフード７２’がレンズカバー７１に固定されるようになっている。
【００６１】
また、固定用ピン７９をレンズカバー７１に設けられたねじ孔８０に対して固定しているため、光学アクセサリ付レンズフード４１の接合部４２を取り付けた際に、この固定用ピン７９を使用しなくなっても、レンズ本体７０に取り付けておくことができる。
【００６２】
このように、標準レンズフード７２の接合部７３をレンズカバー７１に取り付けることにより、レンズカバー７１をレンズ本体７０から取り外す際に、標準レンズフード７２をレンズカバー７１に付けたまま取り外しが可能になる。
【００６３】
なお、光学アクセサリ付レンズフード４１については、レンズカバー７１に固定することは適切ではなく、レンズ鏡筒５３に固定することが望ましい。その理由は、レンズカバー７１に固定すると、光学アクセサリ４０とレンズ鏡筒５３との取付位置の関係が、レンズ鏡筒５３に直接取り付けた場合に比べて安定せず、光学アクセサリ４０の取付時の光学性能に影響を与えることが懸念されるためである。更に、レンズカバー７１はレンズ鏡筒５３を囲むために枠体とされており、大重量の放送局用テレビレンズに用いられる光学アクセサリ４０を取り付けることで、変形してしまうことも理由に挙げられる。
【００６４】
以上の説明では、本発明の好ましい実施例について述べたが、本発明はこれらの実施例に限定されないことは云うまでもなく、その要旨の範囲内で種々の変形、変更が可能である。
【図面の簡単な説明】
【００６５】
【図１】実施例１の光学アクセサリの斜視図である。
【図２】正面図である。
【図３】固定つまみ周辺の断面図である。
【図４】レンズ本体の斜視図である。
【図５】レンズ本体の正面図である。
【図６】光学アクセサリをレンズ本体に取り付けた状態の斜視図である。
【図７】光学アクセサリをレンズ本体に取り付ける第１の手順を示し、（ａ）は光学アクセサリの案内孔付近の拡大正面図、（ｂ）は光軸とガイドピンの軸を通る平面で切断した拡大断面図である。
【図８】光学アクセサリをレンズ本体に取り付ける第２の手順を示し、（ａ）は光学アクセサリの案内孔付近の拡大正面図、（ｂ）は光軸とガイドピンの軸を通る平面で切断した拡大断面図である。
【図９】光学アクセサリをレンズ本体に取り付ける第３の手順を示し、（ａ）は光学アクセサリの案内孔付近の拡大正面図、（ｂ）は光軸とガイドピンの軸を通る平面で切断した拡大断面図である。
【図１０】光学アクセサリの固定つまみをレンズ本体に螺合した状態の拡大断面図である。
【図１１】ガイドピンを設けた光学アクセサリの斜視図である。
【図１２】案内孔を設けたレンズ本体の斜視図である。
【図１３】（ａ）は１本のガイドピンにより光学アクセサリの案内を行う場合のガイドピンの拡大正面図、（ｂ）は拡大側面図である。
【図１４】レンズ本体にマスクを取り付けた状態の正面図である。
【図１５】レンズ本体にマスクを取り付けた状態の断面図である。
【図１６】実施例２の光学アクセサリの斜視図である。
【図１７】光学アクセサリをレンズ本体に取り付けた状態の斜視図である。
【図１８】（ａ）は把手を光学アクセサリの前側に突出させた状態の把手部の拡大正面図、（ｂ）は拡大側面図である。
【図１９】（ａ）は把手を有効光線外に退避させた状態の把手部の拡大正面図、（ｂ）は拡大側面図である。
【図２０】把手の固定を磁力によって行う場合の拡大側面図である。
【図２１】実施例３の光学アクセサリの斜視図である。
【図２２】把手周辺の拡大側面図である。
【図２３】光学アクセサリをレンズ本体に取り付けた状態の斜視図である。
【図２４】光学アクセサリをレンズ本体に取り付けた状態の拡大側面図である。
【図２５】実施例４におけるレンズ本体に、標準レンズフード又は光学アクセサリ付レンズフードを取り付ける場合の斜視図である。
【図２６】標準レンズフードの取付前の状態のレンズ本体の拡大断面図である。
【図２７】レンズ本体に標準レンズフードを取り付けた状態の拡大断面図である。
【図２８】レンズ本体に光学アクセサリ付レンズフードを取り付けた状態の拡大断面図である。
【図２９】レンズ本体に変形例の標準レンズフードを取り付けた状態の拡大断面図である。
【符号の説明】
【００６６】
１０、２０、３０、４０  光学アクセサリ
１３、２１、３１  把手
１４、４３、５６  案内孔
１５、４５、７６  固定つまみ
１７  空気流通孔
１８、５４  ガイドピン
２３  板ばね
２４  固定用マグネット
２５  吸着板
４１  光学アクセサリ付レンズフード
４２、７３  接合部
５０、７０  レンズ本体
５１  レンズフード
５２  レンズ素子
５３  レンズ鏡筒
５５、７４  固定用ねじ孔
５７  突起部品
６１  固定用ピン
７１  レンズカバー
７２  標準レンズフード
７５  弾性部材
【図１】
2008304665.tif 000003
【図２】
2008304665.tif 000004
【図３】
2008304665.tif 000005
【図４】
2008304665.tif 000006
【図５】
2008304665.tif 000007
【図６】
2008304665.tif 000008
【図７】
2008304665.tif 000009
【図８】
2008304665.tif 000010
【図９】
2008304665.tif 000011
【図１０】
2008304665.tif 000012
【図１１】
2008304665.tif 000013
【図１２】
2008304665.tif 000014
【図１３】
2008304665.tif 000015
【図１４】
2008304665.tif 000016
【図１５】
2008304665.tif 000017
【図１６】
2008304665.tif 000018
【図１７】
2008304665.tif 000019
【図１８】
2008304665.tif 000020
【図１９】
2008304665.tif 000021
【図２０】
2008304665.tif 000022
【図２１】
2008304665.tif 000023
【図２２】
2008304665.tif 000024
【図２３】
2008304665.tif 000025
【図２４】
2008304665.tif 000026
【図２５】
2008304665.tif 000027
【図２６】
2008304665.tif 000028
【図２７】
2008304665.tif 000029
【図２８】
2008304665.tif 000030
【図２９】
2008304665.tif 000031